(57)【要約】【課題】圧力センサーを用いた簡易通報システムにおいて、ユーザが好みの端末装置で通報を受けられ、かつ通報内容の生成を効率的に行えるようにする。【解決手段】圧力センサーを配した監視サイト１、１…の圧力信号をサーバー３へ送信し、ここで蓄積加工して注意、警報などの情報を顧客端末５、５…へ送る。サーバー３の顧客端末側通信インタフェース３００は、顧客端末５が利用しているネットワークのプロトコルに対応できるようにして顧客端末の種別の多様性を保障する。また顧客端末５は、圧力信号の加工方法や加工用のパラメータ等を含むプログラムをサーバー３のプログラムメモリ３０４へダウンロードもしくはオフラインでロードすることで所望の情報を容易に得られるようにする。【選択図】　　　　図１
2004128560.tif 000002
【特許請求の範囲】
【請求項１】
１又は複数個の監視サイトと、１又は複数個の顧客端末と、サーバーとから成るところの簡易通報システムであって、
前記監視サイトの各々は、監視位置の圧力を検出しディジタル化して出力するための１又は複数個の圧力検出手段と、この手段からの圧力信号をネットワークを介して送信するための通信インタフェースとを備え、
前記顧客端末の各々は、ネットワークを介して送られてきた表示情報を受信するための通信インタフェースと、この通信インタフェースにより受信される表示情報を表示するための表示手段とを備え、
前記サーバーは、前記監視サイトの各々からネットワークを介して送信された圧力信号を当該ネットワークの通信プロトコルに応じて受信するための第１の通信インタフェースと、この通信インタフェースより受信された圧力信号を加工するための処理手段と、この手段により加工された情報及び前記受信された圧力信号の少なくとも一方を記憶するための記憶手段と、この手段に記憶された加工情報を該当する前記顧客端末へ当該顧客端末が利用するネットワークの通信プロトコルでもって送信するための第２の通信インタフェースとを備えたことを特徴とする簡易通報システム。
【発明の詳細な説明】
【０００１】
【発明の属する技術分野】
本発明は、圧力センサーを用いた簡易通報システムに係り、特に監視対象空間の圧力変化を検出し、その変化状態に応じたメッセージや警報などの監視情報を監視対象空間の管理者にネットワーク経由で通報するようにした簡易通報システムに関する。
【０００２】
【従来の技術】
無人となった店内や家屋、車などへの人の侵入の監視、機械設備の異常検知等には、監視カメラ、赤外線センサー、圧力センサー等を利用したセキュリティシステムが用いられるが、このようなシステムは、監視対象や必要とするセキュリティレベル、利用する通信回線等の要因によりその構成は極めて多彩である。また、利用するセンサーも１種類とは限らず、複数種のセンサーを組み込んでより確実な監視を行えるようにすることも行われている。例えば特許文献１には、赤外線センサーと圧力センサーとを用い、圧力センサーにより閾値以上の圧力変化が検出され、かつその後の所定時間内（例えば５分内）に赤外線センサーが侵入者を検出したときだけ、「侵入者あり」との信号を出力するようにして、侵入者検出の精度を高めるようにした室内監視装置が開示されている。
【０００３】
【特許文献１】
特開平５−１５１４７０号
【０００４】
【発明が解決しようとする課題】
セキュリティシステムにおいては、前記のように監視対象の違いやユーザが求めるセキュリティレベル、利用できる通信回線等の要因によりその構成は多種多様であり、その運用もシステム毎に個別に行われている。一方、近年の通信ネットワークを中心とするＩＴ技術が大きく進歩しており、セキュリティシステムにおける通信や情報処理にこの技術を利用して、システムの構成やその運用をより効率的で安価なものとすることが望まれている。
【０００５】
本発明の目的は、圧力センサーを利用した多種多様なセキュリティシステムを、ネットワークを利用して個々のユーザに提供できるようにした、安価に構成可能な簡易通報システムを提供することにある。
【０００６】
【課題を解決するための手段】
本発明は、１又は複数個の監視サイトと、１又は複数個の顧客端末と、サーバーとから成るところの簡易通報システムであって、
前記監視サイトの各々は、監視位置の圧力を検出しディジタル化して出力するための１又は複数個の圧力検出手段と、この手段からの圧力信号をネットワークを介して送信するための通信インタフェースとを備え、
前記顧客端末の各々は、ネットワークを介して送られてきた表示情報を受信するための通信インタフェースと、この通信インタフェースにより受信される表示情報を表示するための表示手段とを備え、
前記サーバーは、前記監視サイトの各々からネットワークを介して送信された圧力信号を当該ネットワークの通信プロトコルに応じて受信するための第１の通信インタフェースと、この通信インタフェースより受信された圧力信号を加工するための処理手段と、この手段により加工された情報及び前記受信された圧力信号の少なくとも一方を記憶するための記憶手段と、この手段に記憶された加工情報を該当する前記顧客端末へ当該顧客端末が利用するネットワークの通信プロトコルでもって送信するための第２の通信インタフェースとを備えたことを特徴とする簡易通報システムを開示する。
【０００７】
更に本発明は、前記の簡易通報システムにおいて、前記サーバーの処理手段は、１又は複数の圧力信号が予め設定された閾値をこえたか否かを判定し、この判定結果を示す情報を加工情報として出力する。
【０００８】
更に本発明は、前記の簡易通報システムにおいて、前記サーバーの処理手段は、複数の圧力信号が所定の閾値をこえたとき、その所定の閾値をこえた時刻もしくは時間的な順序を当該圧力信号を出力した前記圧力検出手段の設置位置と関連づけて表示する情報を加工情報として出力する。
【０００９】
更に本発明は、前記の簡易通報システムにおいて、前記処理手段が圧力信号を加工するための加工用プログラムを格納するプログラムメモリを前記サーバーに設けるとともに、前記顧客端末は前記加工用プログラムを前記プログラムメモリへダウンロードする機能を備える。
【００１０】
更に本発明は、前記の簡易通報システムにおいて、前記監視サイトの圧力検出手段は検出圧力値をディジタル化するためのサンプリング周期及び符号化ビット数の少なくとも一方を可変する機能を有するとともに、前記サーバーの処理手段は、前記圧力信号の加工結果に応じて該当する圧力検出手段のサンプリング周期及び符号化ビット数の少なくとも一方を可変設定する機能を有する。
【００１１】
【発明の実施の形態】
以下、本発明の実施の形態を説明する。図１は、本発明の簡易通報システムの構成例を示すブロック図で、監視対象場所に設置される監視サイト１、１…がネットワーク２を介して、また顧客端末５、５…がネットワーク４を介してサーバー３と接続されている。
【００１２】
監視サイト１、１…の各々は、通信インタフェース１００、圧力センサー１０１、１０２…（１個でもよい）とそれぞれに対応した入力処理回路１１１、１１２…が設けられている。入力処理回路は、対応する圧力センサーの出力をディジタル化する。この監視サイト１は、例えば店舗内の監視の場合には１店舗毎に設置し、ビニールハウス内への動物侵入監視の場合には１または複数のビニールハウスを設置した１まとまりの農地毎に設置し、工場配管内の圧力監視の場合には工場毎に設置する。そして店舗内の複数の個所に、あるいはビニールハウス毎に、あるいは監視対象の配管位置毎に１組の圧力センサーと入力処理回路を設ける。なお１つの入力処理回路が複数の圧力センサーの入力処理を時分割で行うように構成してもよい。また、駐車中の監視の場合には車両毎に１つの圧力センサーと入力処理回路を設ける。通信インタフェース１００は、これらいずれの例においても監視サイト１毎に１つでもよい。
【００１３】
一方、顧客端末５、５…の各々は、監視サイト１、１…の状態を監視し、必要な場合に警備員や保守要員の派遣を行う警備・保守要員の詰め所、警備・保守会社等に設置される端末装置あるいは警備保守要員の携帯端末で、通信インタフェース５００、表示装置５０１、制御装置５０２を備えている。この顧客端末５、５…の各々は、１又は複数の監視サイトの監視を行うものとすると、このときは顧客端末５の個数は監視サイト１の個数を超えることはない。
【００１４】
サーバー３は、通信インタフェース３００、３０１と処理装置３０２、データベース３０２及びプログラムメモリ３０４を備えており、本発明の簡易通報システムを運用する会社により設置されるものである。ここでプログラムメモリ３０４には、顧客からの注文により作成された処理用のプログラムが、オフラインであるいはネットワーク４経由でダウンロードされて格納される。データベース３０３には、監視サイト１で収集されたデータ、及びそれをプログラムメモリ３０４に格納されたプログラムを処理装置３０２で実行することにより加工されたデータが顧客・監視サイト対応に分規され格納される。
【００１５】
ネットワーク２及び４は、利用可能なもの、あるいは顧客の望むネットワークを用いればよい。図１ではサーバー３と顧客端末５、５…の間及びサーバー３と監視サイト１、１…との間はそれぞれ１つのネットワーク４、２としているが、これらはそれぞれが複数種のネットワークであってもよい。例えばネットワーク２として、監視サイト１が店舗の場合は通常の有線接続のインターネット、車両やビニールハウスの場合はＰＨＳ網やＤｏｐａモジュールのような無線データ端末とインターネットを利用する。サーバー３と顧客端末５、５…を結ぶネットワーク４の方は、顧客端末が固定されている場合には通常の有線インターネット等が利用できるが、保守要員等の携帯端末のときは無線接続回線を利用することになる。監視サイト１と顧客端末５は自分の使うネットワーク対応の通信インタフェースをもち、サーバー３の通信インタフェース３００、３０１は、利用されるネットワーク種別の全てに対応する機能を持つものとする。
【００１６】
以上のような構成の図１に示した本発明の簡易通報システムにおけるサーバー３の役割と処理の例を次に説明する。まずサーバー３の役割の１つの例は、監視サイトからのデータ又はそれを加工したデータを受信する顧客端末は多種多様であり、顧客端末が利用するネットワークのプロトコルに対応した形式のデータを生成して当該顧客端末へ送信するようにすることである。この機能は監視サイト内の入力処理回路に持たせることもできるが、そのためには監視サイトの構成を多様化する必要があり、製造、保守ともに多様な対応が求められ、システム全体としてはコストアップを招く。本発明のようにこれら監視サイトの多様性をサーバーで吸収すれば、監視サイトの構成は顧客端末に対応する必要がなくなり、均一化できるので保守性、コストともに改善できる。また、顧客端末や監視サイトの変更にも対応が容易となる。なお、このためのサーバー３の機能は、サーバー３と顧客端末５、５…の間で利用される可能性のあるネットワークのプロトコルの各々に対応した送信データ生成用プログラムや送信制御用プログラムをプログラムメモリ３０４に用意しておき、接続される顧客端末対応でこれらプログラムを適宜選択して処理装置３０２、通信インタフェース３００で実行するようにしておけばよい。この場合監視サイト１、１…の入力処理回路は、圧力センサーの出力をディジタル化し、ネットワーク対応の信号形成に変換するだけでよい。
【００１７】
サーバー３の役割の２つ目の例は、監視サイト１からの情報を加工・蓄積し、必要に応じて顧客端末へ警報等を出力する機能である。この機能を以下では加工・警報機能と呼ぶことにする。この加工・警報機能の１つの例は、複数の圧力センサーが設置され、その各々が設定された閾値をこえたとき“ＯＮ”を、こえていないとき“ＯＦＦ”を出力する単純な圧力センサーとした場合である。例えばプラントシステムに設置された２個の圧力センサーの各々にそれぞれ１０ｈｐａ（ヘクトパスカル）及び５０ｈｐａの閾値を「注意」、「異常」レベルとして設定しておき、「注意」レベル越えが５分以上続いたら顧客端末に“現場へ急行してください”といったメッセージを送信する。このような機能は、２つの圧力センサーの“ＯＮ”“ＯＦＦ”出力をその発生時刻とともにサーバー３に取り込んでデータベース３０３へ蓄積し、その蓄積データを監視するようなプログラムにより容易に実現できる。
【００１８】
サーバー３の加工・警報機能の他の例は、圧力値そのものを検出し出力するリニア圧力センサーを用いる場合で、この場合は圧力センサー出力をディジタル化したデータをサーバー３で時刻とともにデータベース３０３に受信記録し、その時系列データを解析するプログラムにより前記と同様の「注意報」やメッセージを顧客端末へ送信することができる。また、受信記録した圧力データの時間変化をｗｗｗブラウザ上のグラフとして表示するための信号に編集して顧客端末５へ送信することもできる。また、監視サイト１の入力処理回路に圧力センサー出力のサンプリング周波数及び符号化ビット数を可変にする機能を持たせ、例えばリニア圧力センサー出力に１０分以内に異常レベル（５０ｈｐａ）越えが１０回現れたらサンプリング周波数や符号化ビット数を変更してより詳細な状態監視を行えるようにしてもよい。
【００１９】
サーバー３の加工・警報機能のさらに別の例は、１又は複数の監視サイトに設けられた複数の圧力センサーのデータを取り込み、圧力センサーからのデータ変化をその発生時刻の順に並べ、それを各圧力センサー設置位置と対応づけることである。これにより圧力変化が空間上でどのような時間順に発生したかを知ることができる。例えば広い店舗内への侵入者の進入経路や、大きなプラントの多数配管内の圧力低下の時間順序などがわかり、対応をとる上で有効な情報となる。このような処理もサーバー３上で容易に実現できる。さらに監視対象空間の地図をあらかじめサーバー３に用意しておき、それとデータ変化の情報を対応させて、データ変化発生の時間経過をその“地図”上で表示するためのｗｗｗブラウザ表示用情報を編集することも容易で、インテリジェントな使い易いシステムを実現できる。
【００２０】
【発明の効果】
本発明によれば、ユーザの多種多様な要求に応じた圧力センサー利用のインテリジェントな簡易通報システムをネットワークサーバーを利用することによって安価かつ柔軟に構成できる効果がある。
【図面の簡単な説明】
【図１】本発明になる簡易通報システムの構成例を示すブロック図である。
【符号の説明】
１　　監視サイト
２、４　　ネットワーク
３　サーバー
５　顧客端末
１００　通信インタフェース３００
１０１、１０２　圧力センサー
１１１、１１２　入力処理回路
３００、３０１　通信インタフェース
３０２　処理装置
３０３　データベース
３０４　プログラムメモリ
５００　通信インタフェース
５０１　表示装置
５０２　制御装置
【図１】
2004128560.tif 000003